(57)【特許請求の範囲】
【請求項１】
小物収納凹部の一側壁部に配設された仕切体を、上記小物収納凹部の一側壁面に沿う不使用状態と、上記小物収納凹部内に突出して該小物収納凹部を複数に仕切る使用状態とを選択できるように、上記小物収納凹部の深さ方向を軸として回動自在に軸支してなる小物収納装置であって、上記軸は、上記仕切体の一側上下に夫々突設され、該仕切体の下側軸にはスプリングを巻装して仕切体を常態において上方向に付勢するように軸支し、かつ、上記上側軸を回動自在に軸支する軸受部材は、前記小物収納凹部の一側壁部に凹設された軸受凹部に着脱自在に嵌合係止されると共に、上記軸受部材には、前記仕切体が前記使用状態と前記不使用状態の位置で嵌合係止される位置決め溝が形成されていることを特徴とする小物収納装置。
【請求項２】
小物収納凹部の一側壁部に配設された仕切体を、上記小物収納凹部の一側壁面に沿う不使用状態と、上記小物収納凹部内に突出して該小物収納凹部を複数に仕切る使用状態とを選択できるように、上記小物収納凹部の深さ方向を軸として回動自在に軸支してなる小物収納装置であって、前記仕切体には窓開口を開設し、この窓開口には支え部材を、該窓開口を閉じた状態と水平方向に回動保持された使用状態と、に選択可能に軸支したことを特徴とする小物収納装置。
【請求項３】
前記軸を仕切体の一側上下に夫々突設し、該仕切体の下側軸にはスプリングを巻装して仕切体を常態において上方向に付勢するように軸支し、かつ、上記上側軸を回動自在に軸支する軸受部材は、前記小物収納凹部の一側壁部に凹設された軸受凹部に着脱自在に嵌合係止されると共に、上記軸受部材には、前記仕切体が前記使用状態と前記不使用状態の位置で嵌合係止される位置決め溝が形成されていることを特徴とする請求項２に記載の小物収納装置。
【発明の詳細な説明】
【０００１】
【発明の属する技術分野】
この発明は、例えば、車両用カップホルダー等に好適な小物収納装置に関する。
【０００２】
【従来の技術】
従来のこの種の装置を、車両用カップホルダーを例にとり説明すると、例えば、実開昭６２−１７７６３９号に示される機構がよく知られている。この従来の車両用カップホルダーは、センターコンソールボックス等に形成された飲料用カップ類が載置可能な凹状の収納体と、この収納体の上面開口部の相対向する縁部の間に架け渡した状態で、かつ、この縁部長手方向に沿ってスライド操作可能に組み付けた保持バーと、この保持バーをそのスライド方向に関する任意の位置でスライド不能にロック可能なロック手段と、同じく保持バーの上面においてその復元弾力に抗して押圧操作することにより、前記ロック手段のロック解除が可能な操作部と、を備えて構成されており、保持バーをスライド操作することで、一個或は二個のカップを収納することができると共に、保持バーのスライド位置を調整することで、各種大きさのカップも収納することができるように構成されている。
【０００３】
【発明が解決しようとする課題】
しかしながら、上記従来の車両用カップホルダーにあっては、カップの大きさに対応して小物収納凹部の大きさを調整するときに、保持バーのロック状態を解除した後、これを小物収納凹部の長手方向に沿ってスライド調整しなければならず、ロック解除に必要な押圧力を加える方向と、保持バーをスライドさせる力を加える方向とが全く異なるため、ワンタッチで小物収納凹部の大きさを調整することができず、かかる作業が非常に煩雑であると共に、機構的にも、小物収納凹部の相対向する縁部にガイド溝を開設し、かつ、保持バーにロック機構とロック解除操作機構を組み込まなければならず、機構が非常に複雑化しコスト高となる、という課題を有していた。
【０００４】
この発明は、かかる現状に鑑み創案されたものであって、その目的とするところは、カップ等の収納物の大きさに対応させて小物収納凹部を仕切ることが非常に簡単であり、しかも、機構も非常に簡易化することができるので、部品点数が少なくコストも大幅に低減することが可能となる小物収納装置を提供しようとするものである。
【０００５】
【課題を解決するための手段】
上記目的を達成するため、請求項１に記載の発明に係る小物収納装置にあっては、小物収納凹部の一側壁部に配設された仕切体を、上記小物収納凹部の一側壁面に沿う不使用状態と、上記小物収納凹部内に突出して該小物収納凹部を複数に仕切る使用状態とを選択できるように、上記小物収納凹部の深さ方向を軸として回動自在に軸支したことを特徴とするものである。
【０００６】
それ故、請求項１に記載の発明によれば、カップ等の収納物の大きさに対応させて小物収納凹部を簡単に仕切ることができ、しかも、機構も非常に簡易であるので、部品点数が少なくコストも大幅に低減することができる。
【０００７】
また、請求項２に記載の発明にあっては、上記仕切体に窓開口を開設し、この窓開口には支え部材を、該窓開口を閉じた状態と水平方向に回動保持された状態と、に選択可能に軸支したことを特徴とするものである。
【０００８】
それ故、請求項２に記載の発明によれば、上記小物収納凹部を仕切体で仕切ったとしてもまだ仕切り空間容積が収納物品よりも大きな場合であっても、該支え部材を水平方向に引き出し、例えば、カップ等の収納物の側面に当てることで、物品の移動を効果的に規制することができる。
【０００９】
さらに、請求項３に記載の発明にあっては、上記軸を仕切体の一側上下に夫々突設し、該仕切体の下側軸にはスプリングを巻装して仕切体を常態において上方向に付勢するように軸支し、かつ、上記上側軸を回動自在に軸支する軸受部材は、前記小物収納凹部の一側壁部に凹設された軸受凹部に着脱自在に嵌合係止されると共に、上記軸受部材には、前記仕切体が前記使用状態と前記不使用状態の位置で嵌合係止される位置決め溝を形成して構成したことを特徴とするものである。
【００１０】
それ故、請求項３に記載の発明によれば、仕切体を指で押圧して回動させることができ、ワンタッチで小物収納凹部を画成することができる。
【００１１】
【発明の実施の形態】
以下、添付図面に示す発明の実施の形態例に基づき、この発明を詳細に説明する。
【００１２】
図１乃至図６は、この発明を車両のセンターコンソールボックスＢに形成された小物収納凹部１に、２つのカップ収納部２，２を仕切り形成した第１形態例を示しており、この形態例では、上記小物収納凹部１の平面形状が略Ｌ字状に形成されている。尚、図中符号３は、シフトレバーを示している。
【００１３】
そして、上記カップ収納部２，２は、大きな凹部２０に連通する車両前後方向に長く幅狭の凹部２１に、この形態例では２枚の仕切体５，５で仕切り自在に画成されるように構成されている。
【００１４】
この仕切体５，５は、上記凹部２１の幅寸法と深さ寸法と略同じ寸法を有して形成されてなる平板体で形成されており、その一側上下に段落ち状態で形成された切欠部６Ａ，６Ｂには、軸７Ａ，７Ｂが垂直方向に突設されて形成されている。
【００１５】
そして、上記下側軸７Ｂは、上記下側切欠部６Ｂに連設され、下側が開口された筒部７Ｃ内を通って筒部下方から突出した状態で形成されており、これら筒部７Ｃと下側軸７Ｂとで断面形状が略巾字状となるように形成されている。
【００１６】
このように形成された上記下側軸７Ｂには、仕切体５を常態において上方向に付勢するコイルスプリング８が巻装され、該コイルスプリング８の上部は上記筒部７Ｃ内に収納され、かつ、その下部は図４に示す断面形状が略凹状に形成された下軸受筒部７Ｄ内に収納される。
【００１７】
この下軸受筒部７Ｄは、その外径が上記筒部７Ｃの内径よりも若干小さく形成されていると共に、その上端部には、略逆レ字状に延びる係止片７Ｅ，７Ｅが突設されている。
【００１８】
この係止片７Ｅ，７Ｅは、下軸受筒部７Ｄが筒部７Ｃ内に嵌合されたときに、上記筒部７Ｃに開口された窓部７Ｆ，７Ｆに係止される。この窓部７Ｆ，７Ｆは、その上下方向開口長が上記係止片７Ｅ，７Ｅの上下方向移動距離よりも長く形成されており、従って、上記筒部７Ｃと下軸受筒部７Ｄが上下にスライド可能となる。
【００１９】
また、上記下軸受筒部７Ｄの底部中央には、逆凹状のへこみ（図示せず）が形成されており、該へこみは、上記凹部２１の底部に凹設され上記下軸受筒部７Ｄの下部が回動自在に嵌合される軸受孔２２の略中央部に突設された凸部２３と嵌合されて、仕切体５が使用状態及び不使用状態に回動操作されたときに、みだりに外れないように位置決めする。
【００２０】
一方、上記上側軸７Ａを回動自在に保持する上軸受体１０は、断面形状が略逆凹状に形成されており、その天井部１１の下面には、上記上側軸７Ａを回動自在に軸支する軸受筒部１２と鏃状に形成された係止片１３とが下方に向かって突設されていると共に、上記天井部１２の周縁に沿って延設された袴部１４の２辺には、逆凹状に切欠された位置決め溝１５Ａ，１５Ｂが形成されている。そして、上記軸受筒部１２の天井部には、常態において上記上側軸７Ａが衝合し、コイルスプリング８による上昇モーメントを支承している。
【００２１】
このように構成された上軸受体１０は、その奥行側半部が、上記凹部２１の一側上部に凹設された軸受凹部２４に密に嵌合保持される外形を有して構成されており、該軸受凹部２４の底部には、上記鏃状の係止片１３が嵌合係止される係止孔２５が開設されている。そして、上記軸受凹部２４には、上軸受体１０の袴部１４の奥行側半部が密に圧着した状態で保持されているので、仕切体５を回動操作してもガタ付きが発生する心配がなく、円滑に回動操作することができる。尚、図中符号２６は、上記軸受凹部２４と前記軸受孔２２とを結ぶ線上に沿って凹設され、上記仕切体５の回動を円滑に行うための逃げ溝である。
【００２２】
このように構成され上記凹部２１に配設された各仕切体５は、図５に示すように、使用状態と不使用状態に回動操作することができる。即ち、図５に実線で示す使用状態、つまり前記小物収納凹部２１の長手方向と直交する方向に配置されて該小物収納凹部２１を、例えば、カップＣ（図２参照）を収納できる大きさに画成した状態では、仕切体５の上部が上記上軸受体１０の位置決め溝１５Ａに嵌合係止されている。
【００２３】
この使用状態から仕切体５を不使用状態、即ち、小物収納凹部２１の一側壁面２６に沿う状態に収納する場合には、先ず、図６（Ａ）に示す状態から、図６（Ｂ）に示すように、コイルスプリング８の付勢力に抗して仕切体５を下方（深さ方向）へと押圧して、該仕切体５と上記位置決め溝１５Ａとの係合状態を解除し、この後、該仕切体５を水平方向に回動して前記位置決め溝１５Ｂと嵌合する位置まで回動操作した後に、上記仕切体５を離すと、該仕切体５はコイルスプリング８の付勢力によって自動的に上昇し、該仕切体５の上部が上記位置決め溝１５Ｂ内に進入して嵌合係止されるので、該仕切体５は、小物収納凹部２１の一側壁面２６に沿う状態に不使用状態に収納される。尚、この不使用状態から使用状態へと仕切体５をセットする場合には、上記手順とは逆の手順で操作する。
【００２４】
このように、この形態例では、仕切体５を位置決め溝１５Ａ又は１５Ｂに嵌合係止させて仕切体５の使用・不使用状態に確実に保持することができ、みだりに仕切体５が移動しないので邪魔にならず、使い勝手が良好となる。また、この形態例では、仕切体５を２枚配設しているので、これらを同時に、或は、いずれか一方を収納するカップＣ等の大きさや形状に対応させて回動操作して収納空間の大きさを調整することで、一個または二個のカップＣ等を容易に収納することができる。
【００２５】
図７は、上記上軸受体１０の第２形態例を示しており、この形態例では、前記位置決め溝１５Ａから１５Ｂの間の袴部に、位置決め溝１５Ａから１５Ｂに向かって上がり勾配となるガイド辺部１４ａを形成することで、仕切体５と位置決め溝１５Ａとの係合状態を前記手順で解除し、該仕切体５を不使用状態方向へと回動させた直後に、該仕切体５から手を離しても、該仕切体５はコイルスプリング８によって上方向に付勢されているので、該仕切体５は、上記ガイド辺部１４ａを伝って自動的に位置決め溝１５Ｂと係合するまで回動するように構成し、使い勝手をさらに向上させるように構成した他は、他の構成・作用は第１形態例と同様であるので、図面には第１形態例と同じ符号を付して、その詳細な説明をここでは省略する。
【００２６】
図８と図９は、この発明の実施の第３形態例を示しており、この形態例では、前記下側軸７Ｂを廃止し、前記小物収納凹部２１の底部２７であって、前記軸受孔２２の形成部位に、断面形状が略凹状に形成された筒軸部２８を突設し、この筒軸部２８を前記筒部７Ｃ内に回動自在に嵌合させることで、上記仕切体５を使用状態或は不使用状態にセットすることができるように構成することで、仕切体５の支持構造をより簡略化して金型を簡略化し、より一層のコストダウンを図るように構成した他は、他の構成・作用は第１形態例と同様であるので、図面には第１形態例と同じ符号を付して、その詳細な説明をここでは省略する。
【００２７】
図１０と図１１は、この発明の実施の第４形態例を示しており、この形態例では、前記仕切体５，５に窓開口３０を開設し、この窓開口３０の両側辺部３１，３１の上端部に半球状の膨出軸受部３２，３２を突設すると共に、上記両側辺部３１，３１の上部にやや大きめの軸受凹部３３，３３を凹設すると共に、該軸受凹部３３，３３の真下部には収納状態確認用クリック凹孔３４，３４を、上記半球状の膨出軸受部３２，３２の平面部には仕切体５を水平状態に保持する使用状態確認用クリック凹孔３５，３５を形成する一方、上記仕切体５の窓開口３０，３０に回動自在に装着される支え板３６の両側辺上端部には、上記窓開口３０，３０の軸受凹部３３，３３に回動自在に嵌合係止される軸突起３７，３７と、上記収納状態確認用クリック凹孔３４，３４又は使用状態確認用クリック凹孔３５，３５と嵌合し各状態を保持するクリック用突起３８，３８を突設すると共に、該支え板３６の下辺部に、カップの外形に沿うように形成された湾曲部３９を形成して構成されている他は、他の構成・作用は第１形態例と同様であるので、図面には第１形態例と同じ符号を付して、その詳細な説明をここでは省略する。
【００２８】
この形態例に係る仕切体５は、以上説明したように構成されているので、上記支え板３６を仕切体５と面一となる収納状態から、カップ収納状態のときにカップの移動を規制する場合には、該支え板３６を水平状態に回動させて上記湾曲部３９をカップ外周面に当接させることができる。このとき、支え板３６の収納状態及び使用状態は、上記収納状態確認用クリック凹孔３４，３４又は使用状態確認用クリック凹孔３５，３５と嵌合係止されるクリック用突起３８，３８によってクリック状態を指で感得することができるので、例えば、運転中に支え板３６を操作しても前方から目が離れる心配がなく、また、該支え板３６の引き出し回動操作するときに、上記湾曲部３９が指掛かりとしても機能するので、支え板３６の操作も簡単に行うことができ、使い勝手が良好である。
【００２９】
尚、上記各形態例では、この発明を車両用カップホルダーに適用した場合を例にとり説明したが、この発明にあってはこれに限定されるものではなく、車両の他の小物収納部や一般的な物品の収納箱或は抽斗等にも適用することができることは勿論である。
【００３０】
【発明の効果】
この発明に係る小物収納装置は、以上説明したように、カップ等の収納物の大きさに対応させて小物収納凹部を仕切ることが非常に簡単であり、しかも、機構も非常に簡易化することができるので、部品点数が少なくコストも大幅に低減することができる等、幾多の優れた効果を奏する。
【図面の簡単な説明】
【図１】この発明の実施の第１形態例に係る車両用カップホルダーをセンターコンソールボックスに形成した例を示す斜視説明図である。
【図２】同カップホルダーを仕切体で仕切った状態を示す斜視図である。
【図３】同カップホルダーの仕切体を不使用状態にセットした状態を示す斜視図である。
【図４】同仕切体の取付状態を示す分解斜視図である。
【図５】同仕切体の回動状態を示す斜視図である。
【図６】同仕切体の取付状態を示す図であり、（Ａ）は仕切体で小物収納凹部を仕切っている状態を一部破断して示す断面説明図を、（Ｂ）は（Ａ）の状態から仕切体を押圧した状態を示す断面説明図である。
【図７】この発明の実施の第２形態例に係る車両用カップホルダーの仕切体の構成を示す斜視図である。
【図８】この発明の実施の第３形態例に係る車両用カップホルダーを構成する仕切体の取付状態を示す分解斜視図である。
【図９】同仕切体の取付状態を一部破断して示す断面図である。
【図１０】この発明の実施の第４形態例に係る車両用カップホルダーの仕切体の構成を示す分解斜視図である。
【図１１】同仕切体を組み立てた状態を示す斜視図である。
【符号の説明】
１  小物収納凹部
２  カップ収納部
５  仕切体
７Ａ  上軸
７Ｂ  下軸
８  コイルスプリング
１０  軸受部材（上軸受体）
１５Ａ，１５Ｂ  位置決め溝
２４  軸受凹部
３０  窓開口
３６  支え板
【図１】
0003737691.tif 000002
【図２】
0003737691.tif 000003
【図３】
0003737691.tif 000004
【図４】
0003737691.tif 000005
【図５】
0003737691.tif 000006
【図６】
0003737691.tif 000007
【図７】
0003737691.tif 000008
【図８】
0003737691.tif 000009
【図９】
0003737691.tif 000010
【図１０】
0003737691.tif 000011
【図１１】
0003737691.tif 000012